(57)【要約】【課題】玄関装置の設置位置の自由度を向上させることが可能になると共に、玄関装置を容易かつ安価に取り付けることが可能になる、玄関装置取付構造を提供すること。【解決手段】玄関装置取付構造１は、ユーザからの操作を受け付ける集合玄関機３を、住宅の玄関部２に取り付けるための玄関装置取付構造１であって、周囲の壁面と面一に配置された対象壁面２ｆに対して集合玄関機３の配線３ｃを配設するための配設空間４を介して設置されたパネル１０を備え、集合玄関機３をパネル１０に対して取り付けた。【選択図】図１
2015050519.tif 000002
【特許請求の範囲】
【請求項１】
ユーザからの操作を受け付ける玄関装置を、住宅の玄関部に取り付けるための玄関装置取付構造であって、
周囲の壁面と面一に配置された対象壁面に対して前記玄関装置の配線を配設するための配設空間を介して設置されたパネルを備え、
前記玄関装置を前記パネルに対して取り付けた、
玄関装置取付構造。
【請求項２】
前記パネルは、前記対象壁面と平行に設置される、
請求項１に記載の玄関装置取付構造。
【請求項３】
前記対象壁面に対して直交するように並設した一対の取付ベースであって、高さ方向に沿って連続する一対の取付ベースを備え、
前記一対の取付ベースにおける前記対象壁面とは反対側の端部に、前記パネルを取り付け、
これら対象壁面、パネル、及び一対の取付ベースによって囲繞された空間部を、前記配設空間とした、
請求項１又は２に記載の玄関装置取付構造。
【請求項４】
前記取付ベースを前記パネルの外縁部よりも内側に位置させることによって、前記パネルの前方又は側方の少なくとも一方から、前記取付ベースの少なくとも一部を遮蔽した、
請求項３に記載の玄関装置取付構造。
【請求項５】
前記パネルを開閉させることにより前記配設空間を開放又は閉鎖するための開閉手段を備える、
請求項１から４のいずれか一項に記載の玄関装置取付構造。
【請求項６】
前記玄関装置の配線を、前記配設空間を介して、前記配設空間の上方における前記玄関部の天井に設けられた天井配線孔に挿通した、
請求項１から５のいずれか一項に記載の玄関装置取付構造。
【請求項７】
前記パネルと前記玄関部の天井との相互間に形成された隙間である天井側隙間、又は前記パネルと前記玄関部の床との相互間に形成された隙間である床側隙間の少なくとも一方を備える、
請求項１から６のいずれか一項に記載の玄関装置取付構造。
【請求項８】
前記床側隙間の高さを、前記天井側隙間の高さよりも大きくなるように形成した、
請求項７に記載の玄関装置取付構造。
【発明の詳細な説明】
【技術分野】
【０００１】
本発明は、玄関装置取付構造に関する。
【背景技術】
【０００２】
従来、集合住宅等の玄関部において、ユーザの操作を受け付ける集合玄関機の如き玄関装置を、玄関部の壁面等に取り付けるための玄関装置取付構造が提案されている。
【０００３】
このような玄関装置取付構造としては、取付パネルを玄関部の壁面に対してビス等を用いて直接的に固定し、この取付パネルに対して玄関装置を取り付ける玄関装置取付構造（例えば、特許文献１参照）や、玄関部の床面に対して床置き型の共用玄関装置のユニットを配置する玄関装置取付構造（例えば、特許文献２参照）が提案されていた。
【先行技術文献】
【特許文献】
【０００４】
【特許文献１】特開２０１０−０１６７２７号公報
【特許文献２】特開２００４−１８０１４０号公報
【発明の概要】
【発明が解決しようとする課題】
【０００５】
しかしながら上記従来の玄関装置取付構造においては、玄関装置の配線作業や取付作業に非常に手間を要していた。具体的には、特許文献１に記載の玄関装置取付構造においては、壁面に対して、配線を挿通させるための孔や、玄関装置の取り付けスペースを形成する必要があるため、壁面に対して比較的大掛かりな工事を行う必要があった。また、特許文献２に記載の玄関装置取付構造においては、床面に対して、配線を挿通させるための孔や、玄関装置の基礎を埋設や打設したりする必要があるため、床面に対して比較的大掛かりな工事を行う必要があった。特に、これら従来の構造を、既存の建物に対して適用する場合には、仕上げ材等を用いて既に完成させた壁面や床面に対して上述した大掛かりな工事を行う必要があるため、仕上げを再度やり直さなければならなくなる等、玄関装置の配線作業や取付作業に一層の手間を要していた。
【０００６】
本発明は、上記従来技術における課題を解決するためのものであって、玄関部に玄関装置を取り付ける際の施工作業を簡易化することが可能になる、玄関装置取付構造を提供することを目的とする。
【課題を解決するための手段】
【０００７】
上述した課題を解決し、目的を達成するために、請求項１に記載の玄関装置取付構造は、ユーザからの操作を受け付ける玄関装置を、住宅の玄関部に取り付けるための玄関装置取付構造であって、周囲の壁面と面一に配置された対象壁面に対して前記玄関装置の配線を配設するための配設空間を介して設置されたパネルを備え、前記玄関装置を前記パネルに対して取り付けた。
【０００８】
また、請求項２に記載の玄関装置取付構造は、請求項１に記載の玄関装置取付構造において、前記パネルは、前記対象壁面と平行に設置される。
【０００９】
また、請求項３に記載の玄関装置取付構造は、請求項１又は２に記載の玄関装置取付構造において、前記対象壁面に対して直交するように並設した一対の取付ベースであって、高さ方向に沿って連続する一対の取付ベースを備え、前記一対の取付ベースにおける前記対象壁面とは反対側の端部に、前記パネルを取り付け、これら対象壁面、パネル、及び一対の取付ベースによって囲繞された空間部を、前記配設空間とした。
【００１０】
また、請求項４に記載の玄関装置取付構造は、請求項３に記載の玄関装置取付構造において、前記取付ベースを前記パネルの外縁部よりも内側に位置させることによって、前記パネルの前方又は側方の少なくとも一方から、前記取付ベースの少なくとも一部を遮蔽した。
【００１１】
また、請求項５に記載の玄関装置取付構造は、請求項１から４のいずれか一項に記載の玄関装置取付構造において、前記パネルを開閉させることにより前記配設空間を開放又は閉鎖するための開閉手段を備える。
【００１２】
また、請求項６に記載の玄関装置取付構造は、請求項１から５のいずれか一項に記載の玄関装置取付構造において、前記玄関装置の配線を、前記配設空間を介して、前記配設空間の上方における前記玄関部の天井に設けられた天井配線孔に挿通した。
【００１３】
また、請求項７に記載の玄関装置取付構造は、請求項１から６のいずれか一項に記載の玄関装置取付構造において、前記パネルと前記玄関部の天井との相互間に形成された隙間である天井側隙間、又は前記パネルと前記玄関部の床との相互間に形成された隙間である床側隙間の少なくとも一方を備える。
【００１４】
また、請求項８に記載の玄関装置取付構造は、請求項７に記載の玄関装置取付構造において、前記床側隙間の高さを、前記天井側隙間の高さよりも大きくなるように形成した。
【発明の効果】
【００１５】
請求項１に記載の玄関装置取付構造によれば、対象壁面に対して配設空間を介して設置されたパネルに対して玄関装置を取り付けるため、玄関装置の配線を配設空間を介して任意の位置まで巡らせることができるため、配線用の孔を壁面や床面以外の位置に空けて玄関装置の配線作業を行うことが可能になり、壁面や床面に対して、配線を挿通させるための孔や玄関装置の取り付けスペースを形成したり、玄関装置の基礎を埋設や打設したりする必要がなくなるため、施工作業を従来よりも簡素化することが可能になる。
また、玄関部の壁面に対して凹部を形成し、その凹部に玄関装置を埋め込むことによって玄関装置を壁面に対して直接固定することも考えられるが、このような手段によれば、玄関装置を埋め込むための凹部を壁面に設けるという大掛かりな工事が必要となってしまう。しかしながら、請求項１に記載の玄関装置取付構造によれば、周囲の壁面と面一に配置された対象壁面に対してパネルを設置するので、玄関装置を埋め込むための凹部を壁面に設けるという大掛かりな工事が不要になり、玄関装置を取り付けるための施工性を向上させることが可能になるため、玄関装置を容易かつ安価に取り付けることが可能になる。
さらに、対象壁面とパネルとの間に配設空間を形成できるので、この配設空間に配設した配線をパネルによって少なくとも前方側から容易に遮蔽することが可能になり、玄関装置及びその周辺部分の意匠性を向上させることが可能になる。
【００１６】
また、玄関部の角部において、所定の壁面から当該所定の壁面と直交する壁面に架けてパネルを平面視上の斜め方向に沿って設置して、パネルと当該２つの壁面により囲繞された空間部を配設空間として利用することも考えられるが、このような手段によれば、玄関装置の設置位置が玄関部の角部に限定されてしまう。しかしながら、請求項２に記載の玄関装置取付構造によれば、パネルを対象壁面に対して平行に配置することにより、玄関装置の設置位置が玄関部の角部等といった特定の位置に限定されなくなるため、玄関装置の設置位置の自由度を向上させることが可能になる。
【００１７】
また、請求項３に記載の玄関装置取付構造によれば、対象壁面、パネル、及び高さ方向に沿って連続する一対の取付ベースによって囲繞された空間部を配設空間としたので、四方から覆われた配設空間を極めて簡易に形成することができ、この配設空間に配設した配線をパネル及び一対の取付ベースによって前方側及び側方側から容易に遮蔽することが可能になり、玄関装置及びその周辺部分の意匠性を一層向上させることが可能になる。
【００１８】
また、請求項４に記載の玄関装置取付構造によれば、取付ベースをパネルの外縁部よりも内側に位置させることによって、パネルの前方又は側方の少なくとも一方から取付ベースの少なくとも一部を遮蔽するので、取付ベースに設けられたネジや蝶番等といった意匠性の低い部分をユーザの視線から遮ることができ、玄関装置及びその周辺部分の意匠性を一層向上させることが可能になる。
【００１９】
また、請求項５に記載の玄関装置取付構造によれば、パネルを開閉するための開閉手段を備えるので、玄関装置の配線作業を行う際には、パネルを開くことにより配線作業を容易に行うことが可能になり、配線作業が終了した際には、パネルを閉じることにより配設空間に配設した配線を容易に外部から遮蔽することが可能になり、配線作業の作業性と玄関装置及びその周辺部分の意匠性とを両立させることが可能になる。
【００２０】
また、請求項６に記載の玄関装置取付構造によれば、配線を配設空間を介して天井配線孔に挿通するので、床や壁面に配線孔を形成して配線を挿通させる場合に比べて容易に配線作業を行うことが可能になり、玄関装置を取り付けるための施工性を一層向上させることが可能になるため、玄関装置を一層容易かつ一層安価に取り付けることが可能になる。
【００２１】
また、請求項７に記載の玄関装置取付構造によれば、天井側隙間と床側隙間との少なくとも一方を備えるので、パネルを天井面や床面に対して隙間なく当接させる場合に比べて、対象壁面に対してパネルを取り付けるための施工性を一層向上させることが可能になるため、玄関装置を一層容易かつ一層安価に取り付けることが可能になる。また、天井側隙間と床側隙間との少なくとも一方を備えるので、パネルを開閉手段により開閉可能とした場合においても、パネルが天井や床と接触することを防止でき、パネルを円滑に開閉させることが可能になる。
【００２２】
また、請求項８に記載の玄関装置取付構造によれば、床側隙間の高さを、天井側隙間の高さよりも大きくなるように形成するので、配設空間に配設した配線が天井側隙間を介して前方側に露出する可能性を低減することが可能になると共に、ユーザが玄関装置を操作するために当該玄関装置の前方に立った状態において、ユーザの足がパネルの下部に当たる可能性を低減することが可能になる。
【図面の簡単な説明】
【００２３】
【図１】本発明の実施の形態に係る玄関装置取付構造を示す概略図であって、（ａ）は正面図、（ｂ）は上面図、（ｃ）は左側面図、（ｄ）は右側面図である。
【図２】図１におけるＡ−Ａ矢視断面図である。
【図３】図１におけるＢ−Ｂ矢視断面図である。
【図４】図３の要部拡大平面図である。
【図５】図３の要部拡大斜視図である。
【発明を実施するための形態】
【００２４】
以下に添付図面を参照して、この発明に係る玄関装置取付構造の実施の形態を詳細に説明する。まず、〔Ｉ〕本実施の形態の基本的概念を説明した後、〔ＩＩ〕本実施の形態の具体的内容について説明し、〔ＩＩＩ〕最後に、本実施の形態に対する変形例について説明する。ただし、本実施の形態によって本発明が限定されるものではない。
【００２５】
〔Ｉ〕本実施の形態の基本的概念
まず、本実施の形態の基本的概念について説明する。本実施の形態に係る玄関装置取付構造は、玄関装置を住宅の玄関部の壁面に取り付けるための玄関装置取付構造である。ここで、「玄関装置」とは、玄関部に設置される装置であって、ユーザが各種操作を行うための操作手段である。この玄関装置としては、任意の機能を備えた装置が該当し得るが、例えば、本実施の形態において、玄関装置とは、ユーザが呼び出し対象である部屋の部屋番号を入力するためのキースイッチ、ユーザを撮影するためのカメラ、玄関部の扉を開閉するために鍵を挿通するための鍵穴、及び玄関部に居るユーザが呼び出し対象である部屋の居住者と通話をするためのマイクやスピーカを備えた、公知の集合玄関機（ロビーインターホン、ドアホン）であるものとして説明する。また、「住宅」とは、居室の数等に限定されず任意の住宅であって構わないが、本実施の形態においては、複数の居室により構成された集合住宅であるものとして説明する。また、「玄関部」とは、ユーザが住宅に出入りするための空間部であり、住宅の表口の玄関部のみでなく、住宅の裏口の玄関部も含む。また、「ユーザ」とは、玄関装置を操作する者であり、住宅の居住者の他、住宅を任意の目的で訪れた者を含む。なお、玄関部及び集合玄関機の詳細については後述する。
【００２６】
〔ＩＩ〕本実施の形態の具体的内容
次に、本発明に係る本実施の形態の具体的内容について説明する。
【００２７】
（構成）
最初に、本実施の形態に係る玄関装置取付構造１の構成について説明する。図１は、本実施の形態に係る玄関装置取付構造１を示す概略図であって、（ａ）は正面図、（ｂ）は上面図、（ｃ）は左側面図、（ｄ）は右側面図である（ただし、（ｂ）〜（ｄ）においては後述する設置壁面を破断して示す）。また、図２は、図１におけるＡ−Ａ矢視断面図である。また、図３は、図１におけるＢ−Ｂ矢視断面図である。以下では、必要に応じて、図１におけるＸ−Ｘ’方向を「幅方向」と称し、特にＸ方向を「右方向」、Ｘ’方向を「左方向」と称する。また、Ｙ−Ｙ’方向を「奥行き方向」と称し、特にＹ方向を「前方向」、Ｙ’方向を「奥方向」と称する。また、Ｚ−Ｚ’方向を「高さ方向」と称し、特にＺ方向を「上方向」、Ｚ’方向を「下方向」と称する。
【００２８】
これらの図１〜図３に示すように、本実施の形態に係る玄関装置取付構造１は、住宅の玄関部２に、集合玄関機３を取り付けるための構造であり、パネル１０、取付下地２０、２１、蝶番３０、エッジキャップ４０、固定プレート５０、及び連結プレート６０を備えて構成されている。以下では、玄関部２と集合玄関機３の構成について順次説明した後に、玄関装置取付構造１を構成する各構成要素について詳細に説明する。なお、玄関部２、集合玄関機３、及び玄関装置取付構造１を構成する各構成要素に関しては、特記する場合を除き、公知の構成を採用することが可能であるため、その詳細な説明を省略する。
【００２９】
（構成−玄関部）
玄関部２は、玄関装置取付構造１が配置される空間部である。この玄関部２の形状、広さ、用途等は任意であるが、本実施の形態においては、屋外空間と集合住宅のエントランスとを接続する風除室であって、四方の壁面、天井、及び床により囲繞された略直方体形状の公知の風除室として形成されているものとして説明する。
【００３０】
この玄関部２を構成する四方の壁面のうち、一つの壁面には、屋外空間と玄関部２とを往来するための手動扉（図示省略）が設けられており、この壁面と対向する位置に形成された他の一つの壁面には、玄関部２と集合住宅のエントランスとを往来するための自動扉（図示省略）が設けられている。なお、その他の二つの壁面（図示省略）には、扉は設けられていないものとする。ここで、これら四方の壁面のうち、いずれの壁面に対して集合玄関機３を取り付けることも可能であるが、本実施の形態においては、手動扉や自動扉が設けられていない壁面のうち一つの壁面に対して集合玄関機３を取り付けるものとして説明する。なお、以下では、このように集合玄関機３が取り付けられる一つの壁面を「設置壁面」２ａと称して説明する。この設置壁面２ａは、図３に示すように、所定間隔を隔てて配置された壁柱２ｂを中心として構成された壁体の表面に、複数の化粧ボード２ｃを並設して構成されている。これら複数の化粧ボード２ｃの相互間には、目地２ｄが設けられている。なお、図１、２に示すように、設置壁面２ａの下端位置には、水平方向に沿って幅木２ｅが配置されている。
【００３１】
このように構成された設置壁面２ａのうち、特定の一部分を「対象壁面」２ｆと称する。この一部分とは、設置壁面２ａのうち、当該設置壁面２ａに対して平行に設置されたパネル１０と対向する部分であって、当該パネル１０と同一面積の部分である。この対象壁面２ｆは、設置壁面２ａにおける対象壁面２ｆ以外の部分に対して面一となっている。すなわち、本実施の形態において、対象壁面２ｆは、上記特許文献２に記載されたような凹部としてではなく、設置壁面２ａにおける対象壁面２ｆ以外の部分に対して面一状に連続する平滑面として構成されている。
【００３２】
ここで、「面一」とは、集合玄関機３の全幅に対応するような広幅状の凹部が存在しないことを意味しており、例えば、上述のように設置壁面２ａの表面を複数の化粧ボード２ｃを並設することにより構成した場合に、これら複数の化粧ボード２ｃの相互間に形成される目地２ｄのように、狭幅の凹部が存在することまでを除外するものではない。
【００３３】
また、玄関部２を構成する天井は、天井スラブ（図示省略）の下方に公知の手段にて天井ボード２ｇを吊り下げることによって構成されている。この天井ボード２ｇにおける、後述する配設空間４の上方に対応する位置には、天井配線孔２ｈが形成されている。この天井配線孔２ｈは、集合玄関機３の後述する配線３ｃを挿通するための孔であり、天井ボード２ｇを高さ方向に沿って貫通する貫通孔として形成されている。なお、天井配線孔２ｈの形状や径については任意であり、少なくとも集合玄関機３の配線３ｃを挿通することが可能な程度の大きさ及び形状であれば良い。
【００３４】
（構成−集合玄関機）
このように構成された玄関部２に取り付けられる集合玄関機３は、操作部３ａ及び本体部３ｂを備えて構成されている。このうち操作部３ａは、ユーザが各種操作を行うための操作手段であり、ユーザが呼び出し対象である部屋の部屋番号を入力するためのキースイッチ、ユーザを撮影するためのカメラ、玄関部２の扉を開閉するために鍵を挿通するための鍵穴、及び玄関部２に居るユーザが呼び出し対象である部屋の居住者と通話をするためのマイクやスピーカが設けられている。この操作部３ａは、正面形状を略長方形状とする板状体に対して、上記キースイッチ等を設けて構成されている。
【００３５】
一方、本体部３ｂは、集合玄関機３を稼動させるための各種電子機器等を収容するものであり、操作部３ａの前面よりも幅及び高さの小さい長方体状に形成されており、操作部３ａの背面に接合されている。この本体部３ｂの背面には、集合玄関機３に対して電源を供給するためのケーブルや、集合玄関機３に対して各種信号を送信するためのケーブルが接続されており、これらのケーブルが本体部３ｂの背面から奥方向に引き出されている。なお、以下では、これらのケーブルを「配線」３ｃと総称する。
【００３６】
（構成−玄関装置取付構造）
次に、玄関装置取付構造１を構成する各構成要素について説明する。この玄関装置取付構造１は、上述したように、パネル１０、取付下地２０、２１、蝶番３０、エッジキャップ４０、固定プレート５０、及び連結プレート６０を備えて構成されている。
【００３７】
（構成−玄関装置取付構造−パネル）
最初に、パネル１０について説明する。このパネル１０は、対象壁面２ｆに対して平行に、すなわち、幅方向に沿って配置された玄関装置固定手段であって、正面形状を略長方形とする板状体として形成されている。ここで、このパネル１０、対象壁面２ｆ、及び取付下地２０、２１によって囲繞された空間を、以下では必要に応じて「配設空間４」と称して説明する。この配設空間４には上述した集合玄関機３の配線３ｃが配設される。また、以下では、当該パネル１０における対象壁面２ｆと対向する側の面を「パネル１０の背面」と称し、当該パネル１０における対象壁面２ｆと対向していない側の面を「パネル１０の前面」と称する。
【００３８】
ここで、パネル１０の具体的な形状や素材については、集合玄関機３を当該パネル１０に取り付け可能である限り任意であり、例えば、一枚の金属板により形成することもできる。しかしながら、ユーザが集合玄関機３を操作した際（例えば、ユーザがキースイッチを押圧した際や、鍵穴に鍵を挿入した際）には、パネル１０に対して奥行方向への圧力が加わることになるため、このような圧力によって変形しない程度の剛性をパネル１０に持たせるためには、パネル１０を構成する金属板の肉厚を比較的厚くする必要が生じる。しかしながら、このような肉厚の金属板によってパネル１０を形成した場合には、パネル１０が重くなることや加工が困難になることから、施工性の観点から問題が生じる可能性がある。特に、パネル１０を１枚の金属板で形成した場合、パネル１０に視覚的な重厚感を持たせるためには、パネル１０を相当な厚さにする必要が生じ、施工性が一層低下する可能性がある。このため、本実施の形態においては、図１や図２に示すように、パネル１０をハニカムコア構造により構成することとしている。
【００３９】
具体的には、図２，３に示すように、パネル１０は、３枚の分割パネル１１、フラットバー１２、及びパネル連結プレート１３を備えて構成されている。３枚の分割パネル１１は、高さ方向に沿って並設されたパネル体である。各分割パネル１１は、上下左右に配置されて全体として正面方形環状に枠組みされた外枠部材１１ａを、その前面及び後面に配置した一対の化粧鋼板１１ｂで外側から覆い、これら一対の化粧鋼板１１ｂの相互間にハニカムコア１１ｃを収容して構成されている。外枠部材１１ａは、分割パネル１１の構造体であり、例えば、比較的剛性の高いスチールにて形成されている。化粧鋼板１１ｂは、パネル１０の意匠性の向上を図るための化粧材であり、その具体的な素材や意匠は任意であるが、例えば、上方と下方に配置された分割パネル１１には、玄関部２の壁面や自動扉の表面材と同じ素材（例えば、木目調の鋼板）で形成された化粧鋼板１１ｂが使用されることで、意匠上の統一化が図られており、中央に配置された分割パネル１１には、他の分割パネル１１とは異なる化粧鋼板１１ｂが使用されることで、意匠上のアクセントが加えられている。ハニカムコア１１ｃは、紙材又はアルミ材等から形成された断面六角形状（ハニカム形状）のコアを多数隣接配置して形成されている。このように形成された分割パネル１１の厚みは任意であるが、例えば２０〜４０ｍｍ程度とすることができる。このように、パネル１０を分割パネル１１を用いて構成した場合には、一枚の金属板により形成する場合に比べて、パネル１０の肉厚を厚くしても軽量化することが可能になり、パネル１０の施工性を向上させることが可能になると共に、パネル１０に視覚的な重厚感を持たせることが可能になる。
【００４０】
このようにパネル１０に用いる分割パネル１１の代わりとして１枚の大型のパネル等を用いることもできるが、本実施の形態においては、３枚の分割パネル１１を高さ方向に沿って並設している。これら３枚の分割パネル１１は、相互に略同一の形状にて形成されているが、中央に配置される分割パネル１１にのみ、集合玄関機３を固定するための開口部１１ｄが設けられている。この開口部１１ｄは、集合玄関機３の本体部３ｂと略同一の幅及び高さにて形成された孔部であって、分割パネル１１を奥行き方向に沿って貫通する孔部であり、この開口部１１ｄを介して、集合玄関機３の本体部３ｂが分割パネル１１に挿通されてパネル１０に固定されている。このパネル１０に対する集合玄関機３の具体的な固定構造は任意であるが、例えば、集合玄関機３の本体部３ｂの側面から分割パネル１１の背面に至る位置に平面略Ｌ字型の金具（図示省略）を配置し、この金具をそれぞれ本体部３ｂと分割パネル１１にネジ留めすることで、パネル１０に対して集合玄関機３を固定することができる。なお、このように構成されたパネル１０の全体形状の詳細については、後述する。
【００４１】
フラットバー１２は、図２に示すように、３枚の分割パネル１１の相互間において、水平面に沿って配置された板状体であり、これら３枚の分割パネル１１の相互間隔を所定間隔に固定するためのスペーサとして機能している。各フラットバー１２は、上方に配置された分割パネル１１の下面と、中央に配置された分割パネル１１の下面とに、ネジ１２ａにてネジ留め固定されている。
【００４２】
パネル連結プレート１３は、３枚の分割パネル１１を相互に連結するための連結手段であり、パネル１０の全体の高さに略対応する高さを有するものであって、水平断面を略Ｌ字状とするアルミ製の部材である。このパネル連結プレート１３を、高さ方向に沿って並設された３枚の分割パネル１１に対して左右の各々の側方に配置し、各分割パネル１１に対してネジ１３ａにてネジ留め固定することで、これら３枚の分割パネル１１が相互に連結されている。なお、このパネル連結プレート１３の下端部は、さらにエッジキャップ４０によって覆われているが、エッジキャップ４０については後述する。
【００４３】
（構成−取付下地）
次に、取付下地２０、２１について説明する。これら取付下地２０、２１は、対象壁面２ｆに対して直交するように並設した一対の取付ベースであって、高さ方向に沿って連続する一対の取付ベースである。このような取付下地２０、２１によって、対象壁面２ｆに対して配設空間４を介してパネル１０を設置することが可能になる。なお、この取付下地２０、２１は、パネル１０を対象壁面２ｆに対して取り付けることが可能な限りにおいて任意の形状にて構成することが可能である。但し、本実施の形態においては、図３に示すように、パネル１０と略同一の高さを有し、コの字形状の水平断面を有する取付下地２０と、同じくパネル１０と略同一の高さを有し、蝶番３０を接続することが可能な形状にて形成された取付下地２１とによって構成されている。
【００４４】
この取付下地２０は、概略的に、一枚の金属平板をコの字形状に折り曲げて形成することが可能であり、このように折り曲げられることにより形成された各部を、部材２０ａ、部材２０ｂ、部材２０ｃと称して説明する。
【００４５】
まず、部材２０ａは、取付下地２０を対象壁面２ｆに対して固定するための固定手段であって、その全面において対象壁面２ｆと当接するように配置される。この部材２０ａは、高さ方向に沿った複数箇所において、配設空間４から、部材２０ａと連結プレート６０とを順次貫通して対象壁面２ｆにネジ２２を打ち込む事により、取付下地２０を対象壁面２ｆに対して固定されている。
【００４６】
また、部材２０ｂは、対象壁面２ｆから所定距離だけ前方方向に離れた位置にパネル１０を設置するために、パネル１０を対象壁面２ｆから所定距離だけ離隔するための離隔手段であって、対象壁面２ｆ及びパネル１０に対して直交するように配置されている。この部材２０ｂは、高さ方向に沿った複数箇所において、配設空間４から、後述する固定プレート５０を貫通するネジ２３によって、固定プレート５０に対して固定されている。
【００４７】
また、部材２０ｃは、パネル１０と取付下地２０との当接面積を増大させることによりパネル１０をより安定的に取付下地２０に固定するための当接手段であって、その全面においてパネル１０と当接するように配置される。ここで、この部材２０ｃは、パネル１０と略同一の高さを有する部材であるが、固定プレート５０と重ならないように固定プレート５０の部分のみを切り欠いた形状にて形成されている。
【００４８】
次に取付下地２１について説明する。図４は、図３の要部拡大平面図である。また、図５は、図３の要部拡大斜視図である。これら図４、及び図５に示すように、取付下地２１は、概略的に、部材２１ａ、部材２１ｂ、部材２１ｃ、部材２１ｄ、部材２１ｅ、部材２１ｆ、及び部材２１ｇを備えて構成されている。
【００４９】
部材２１ａは、部材２０ａと左右対称に構成することが可能であるため、その詳細な説明を省略する。部材２１ｂは、パネル１０を対象壁面２ｆから所定距離だけ離隔するための離隔手段であって、対象壁面２ｆ及びパネル１０に対して直交するように配置されている。より具体的には、部材２１ｂは、対象壁面２ｆから、パネル１０の背面に設けられた蝶番３０に至る位置に配置されており、この部材２１ｂと部材２０ｂとによって、パネル１０が対象壁面２ｆに対して平行に保たれている。部材２１ｃは、部材２１ｂの先端部から１８０度折り曲げられて形成された部分であって、部材２１ｂと平行に隣接配置されている。また、部材２１ｄは、部材２１ｃと接続されパネル１０に対して平行に形成された部分である。部材２１ｅは、部材２１ｄと接続されパネル１０に対して直交に形成された部分であり、その先端部において後述する蝶番面３０ｂと接している。
【００５０】
また、部材２１ｆは、部材２１ｃ、部材２１ｄ、及び部材２１ｅによって構成される略コ字状の部材によって略囲われた空間の上方部分を覆う部材である。具体的には、平面形状を略長方形とする板状体として形成されており、部材２１ｃ、部材２１ｄ、及び部材２１の上端に対して溶接等により接合されている。また、部材２１ｇは、部材２１ｃ、部材２１ｄ、及び部材２１ｅによって構成される略コ字状の部材によって略囲われた空間の下方部分を覆う部材である。具体的には、平面形状を略長方形とする板状体として形成されており、部材２１ｃ、部材２１ｄ、及び部材２１の下端に対して溶接等により接合されている。
【００５１】
ここで、これらの部材２１ｃ、部材２１ｄ、部材２１ｅ、部材２１ｆ、及び部材２１ｇが略囲繞する空間（以下、仮固定空間２７と称する）には、蝶番土台２１ｈが配置される。この蝶番土台２１ｈは、取付下地２１に対して蝶番３０を固定するための蝶番固定手段であり、水平断面形状が略コ字状の金属部材であって、取付下地２１と略同一の高さを有している。そして、この蝶番土台２１ｈは、図５に示すように、蝶番土台２１ｈにおける蝶番３０が設けられていない位置において、ネジ２６によって部材２１ｄに対してネジ留めされて接合されている。
【００５２】
（構成−蝶番）
蝶番３０は、パネル１０を開閉させることにより配設空間４を開放又は閉鎖するための開閉手段である。ここで、この蝶番３０は、相互に開閉可能な一対の蝶番面３０ａ、３０ｂを備えた公知の蝶番として構成されており、一方の蝶番面３０ａは、蝶番土台２１ｈに対してネジ２４によりネジ留め固定されており、他方の蝶番面３０ｂは、パネル１０の背面に対して例えばネジ留め等の任意の方法にて固定されている。そして、このように蝶番３０により蝶番土台２１ｈとパネル１０とを回動可能に接続することにより、蝶番３０を軸としてパネル１０を開閉自在とすることが可能である。
【００５３】
（構成−エッジキャップ）
エッジキャップ４０は、パネル連結プレート１３の下端部をカバーすることにより、ユーザがパネル１０の前方に立って集合玄関機３の操作を行う際等に、ユーザの足がパネル連結プレート１３の下端部に当接して怪我をしてしまうことを防止するためのカバー手段である。このエッジキャップ４０は、図４に示すように、パネル１０の両側端部に配置されたそれぞれのパネル連結プレート１３の下端部に対して取り付けられている。具体的には、水平断面を略Ｃ字状とする高さ１０ｍｍ程度の樹脂製の側面部４０ａ、及び側面部４０ａの底部に配置される底面部４０ｂであって、側面部４０ａが略囲う空間を側面部４０ａの下方から覆う板状体にて形成された底面部４０ｂとを溶接接合等することにより形成されている。そして、パネル連結プレート１３の下端部にこのエッジキャップ４０を上方向に押し込んで嵌合させた状態において、パネル連結プレート１３の下端部における側面とエッジキャップ４０の側面部４０ａとをネジ留めすることにより、エッジキャップ４０をパネル連結プレート１３の下端部に対して固定することが可能となる。なお、その他の手段にてエッジキャップ４０をパネル連結プレート１３の下端部に対して固定しても良く、例えば接着剤を用いて固定しても良い。
【００５４】
（構成−固定プレート）
固定プレート５０は、パネル１０の背面と取付下地２０とを接続するための接続手段である。この固定プレート５０は、具体的には一枚の金属板を直角に折り曲げて形成された断面略Ｌ字形状の部材であって、一方の面がパネル１０の背面と平行となるように、かつ他方の面がパネル１０の背面と直交するように配置される部材である。この固定プレート５０の形状や個数は任意であるが、本実施の形態において、固定プレート５０は、図２に示すように、高さ２０ｍｍ程度の部材として形成され、上方の分割パネル１１及び下方の分割パネル１１の各々の上下略中央位置に対応する位置に配置される。ここで、パネル１０の背面と平行となるように配置された部分は、ネジ２５によってパネル１０の背面と接続され、パネル１０と直交するように配置された部分は、上述したようにネジ２３によって取付下地２０の部材２０ｂと接続される。
【００５５】
（構成−連結プレート）
連結プレート６０は、取付下地２０の部材２０ｂと取付下地２１の部材２１ｂとを一定幅間隔かつ平行に保つための間隔保持手段である。この連結プレート６０は、具体的には、所定の高さ（例えば、２５ｍｍ）及び取付下地２０の部材２０ｂと取付下地２１の部材２１ｂとの相互間の幅と略同一の幅を有する長板形状にて形成されている。この連結プレート６０は、幅方向における両端部において、配設空間４から、連結プレート６０と部材２０ａとを順次貫通して対象壁面２ｆに至るネジ２２、及び連結プレート６０と部材２１ａとを順次貫通して対象壁面２ｆに至るネジ２２によって、対象壁面２ｆに対して固定されている。このように連結プレート６０が部材２０ｂと部材２１ｂとの相互間において高さ方向に沿って複数箇所に配置されていることにより、部材２０ｂと部材２１ｂを一定幅間隔かつ平行に保つことが可能になる。なお、連結プレート６０の設置個数は任意であるが、本実施の形態においては、対象壁面２ｆの上端部近傍及び下端部近傍の計２箇所に設置されている。
【００５６】
（構成−パネルの全体形状）
次に、パネル１０の全体形状の詳細について説明する。３つの分割パネル１１を繋げて形成されたパネル１０の正面形状は、少なくとも集合玄関機３を取り付け可能となる形状であればよく、集合玄関機３の正面形状と同等以上の幅及び高さの形状であればよい。しかしながら、パネル１０を集合玄関機３の正面形状と同等程度の幅及び高さで形成した場合には、集合玄関機３の本体部３ｂから引き出された配線３ｃを対象壁面２ｆに挿通させない限り、配線３ｃがパネル１０の上下や左右に飛び出ることにより、配線３ｃが前方側や側方側からユーザに見えてしまい、意匠性の観点から好ましくない。一方、パネル１０を大きく形成し過ぎた場合には、パネル１０の施工性が低下したり、パネル１０がユーザと干渉する可能性が高まったりする等、他の観点から好ましくない問題が生じ得る。
【００５７】
そこで、本実施の形態においては、図２に示すように、パネル１０の上端と天井との間に所定距離（例えば１５ｍｍ）の天井側隙間５を形成すると共に、パネル１０の下端と床との間に所定距離（例えば１５０ｍｍ）の床側隙間６を形成し、これら天井側隙間５の高さと床側隙間６の高さとが相互に適切な関係となるように、パネル１０の正面形状を決定している。
【００５８】
このように、天井側隙間５及び床側隙間６を形成することにより、玄関装置取付構造１の施工性の向上を図ることが可能になる。具体的には、玄関部２においてパネル１０の取付作業を行う際には、３枚の分割パネル１１を高さ方向に沿って工場において予め接合し、この接合した状態のパネル１０を玄関部２へと運搬して設置壁面２ａに対して取り付ける作業を行う。このように、大型のパネル１０を取り付けるためには、高さ方向にパネル１０の可動域が存在する方が作業を行い易い。そこで、パネル１０の上下に天井側隙間５及び床側隙間６を設けることにより、蝶番３０を軸としてパネル１０を開閉させた際にパネル１０と天井及び床が容易に当接することを回避でき、円滑にパネル１０の開閉を行うことが可能になる。
【００５９】
さらに、ユーザがパネル１０の前方から配設空間４を視認できてしまうことを避けるために、天井側隙間５は上述した１５ｍｍのように比較的小さな隙間とすることが望ましい。一方、ユーザがパネル１０の前に立って集合玄関機３の操作をする際等において、ユーザの足がパネル１０の下部に当たることにより、ユーザの安全性が低下したり、パネル１０を傷つけてしまうことを避けるために、床側隙間６は上述した１５０ｍｍのように比較的大きな隙間とすることが望ましい。さらに、床側隙間６は、対象壁面２ｆの幅木２ｅの高さと同一の高さとすることにより、意匠的統一感を奏することが好ましい。
【００６０】
（パネル１０と取付下地２０、２１との関係）
次に、パネル１０と取付下地２０、２１との関係の詳細について説明する。図３に示すように、上述したように設置壁面２ａを構成する複数の化粧ボード２ｃの相互間には、目地２ｄが設けられている。従って、意匠的統一感を奏するためには、パネル１０の左右の端部の位置を、目地２ｄの位置に一致させることが好ましい。そこで、本実施の形態においては、パネル１０の左側の端部の位置を、目地２ｄの位置に一致させることとしている。しかしながら、目地２ｄには部材２０ａをネジ留めするためのネジ２２を打ち付けることが出来ないため、この設置壁面２ａの目地２ｄとは異なる位置に部材２０ａが設置することが望ましい。そこで、本実施の形態では、取付下地２０をパネル１０の側面よりも内側（すなわち右側）に位置させることにより、設置壁面２ａの目地２ｄの位置とは異なる位置に部材２０ａを位置させることを可能とし、取付下地２０を容易に設置壁面２ａに対してネジ２２を打ち付けることを可能としている。なお、この場合においても、ネジ２２を壁柱２ｂに対してネジ留めすることが可能となるように、取付下地２０の位置を決定している。このように取付下地２０をパネル１０の側面よりも内側に位置させた場合には、部材２０ｂに打ち込まれたネジ２３のネジ頭を、パネル１０の前方又は側方の少なくとも一方から遮蔽することができ、意匠性の向上を図ることが可能になる。
【００６１】
一方、パネル１０の右側の端部の位置に関しては、この端部の位置の近傍に目地２ｄが存在しないため、任意の位置とすることができる。しかしながら、左右の対称性の観点からすれば、パネル１０と取付下地２０との関係を、パネル１０と取付下地２１との関係にも反映させることが好ましい。従って、本実施の形態においては、取付下地２０と同様に、取付下地２１をパネル１０の側面よりも内側（すなわち左側）に位置させることにより、左右で均一の取れた外観とし、意匠性の向上を図っている。また、このように取付下地２１をパネル１０の側面よりも内側に位置させることにより、取付下地２１とパネル１０との相互間に配置された蝶番３０を、パネル１０の前方又は側方の少なくとも一方から遮蔽することができ、意匠性の向上を図ることが可能になる。
【００６２】
（施工作業）
次に、このように構成された玄関装置取付構造１の施工作業について説明する。まず、設置壁面２ａにおいて、天井側隙間５と床側隙間６とを確保できるように、玄関装置取付構造１を設ける対象壁面２ｆの位置を決定する。ここで、玄関装置取付構造１を設ける対象壁面２ｆの位置は任意であるが、意匠性の低い部分である蝶番３０を、パネル１０の前方又は側方の少なくとも一方から遮蔽することが可能な位置であることが、意匠上の観点から好ましい。例えば本実施の形態に係る玄関装置取付構造１のように、パネル１０が右開きとなるように構成する場合、対象壁面２ｆの位置を、対象壁面２ｆの右方の近傍位置に当該対象壁面２ｆと直交する壁面が存在するような位置とすることで（つまり、対象壁面２ｆの右端部に入隅部が形成されている場合において、この入隅部に近接する位置とすることで）、当該直交する壁面によって蝶番３０をパネル１０の右方から遮蔽することができる。
【００６３】
そして、当該決定した対象壁面２ｆに、取付下地２０、２１を連結プレート６０と共にネジ２２にてネジ留めする。また、このネジ留めの前後のいずれかにおいて、蝶番土台２１ｈを取付下地２１に取り付ける作業を行う。具体的には、まずは、蝶番面３０ａと蝶番土台２１ｈとをネジ２４によってネジ留めし、さらに蝶番面３０ｂとパネル１０の背面とを任意の方法（例えばネジ留め）によって接合する。このように蝶番３０を介して蝶番土台２１ｈとパネル１０とを接合した状態において、蝶番土台２１ｈを仮固定空間２７に押し込んで嵌め込むことにより、蝶番土台２１ｈの仮固定を行う。このように蝶番土台２１ｈを仮固定した状態において、パネル１０を開き、蝶番土台２１ｈの手前から、蝶番土台２１ｈ、及び部材２１ｄを順次貫通するネジ２６を取り付けることにより、蝶番土台２１ｈを部材２１ｄに本固定する。このように、蝶番土台２１ｈを仮固定空間２７に仮固定した状態において、ネジ２６の取付作業を行うことができるため、蝶番土台２１ｈを取り付ける際の施工性の向上を図ることが可能となる。
【００６４】
次に、パネル１０に対してエッジキャップ４０を取り付けて、エッジキャップ４０の外側からエッジキャップ４０とパネル１０とを順次貫通するネジを取り付けることによりパネル１０に対してエッジキャップ４０を取り付ける。なお、このようにエッジキャップ４０を取り付ける作業については任意のタイミングで行ってよく、例えばパネル１０を組み立てる段階で行っても良い。
【００６５】
そして、ユーザは、パネル１０を開いた状態（図１（ｂ）に想像線で示す状態）において、パネル１０に対して集合玄関機３を取り付ける作業を行う。具体的には、配線３ｃが配設空間４側に引き出された状態において、パネル１０の開口部１１ｄに対して、集合玄関機３の本体部３ｂをその背面側から押し当て、分割パネル１１の前面と操作部３ａの背面とが当接するまで、集合玄関機３を当該開口部１１ｄに押し込み、このような状態において集合玄関機３をパネル１０に固定する。
【００６６】
そして、この際に、集合玄関機３の配線作業を行う。具体的には、パネル１０を開いて配設空間４を開放した状態において、集合玄関機３の本体部３ｂの背面に設置された配線３ｃを、配設空間４を介して天井配線孔２ｈに挿通して、電源等と接続する。そして、この状態において集合玄関機３の動作確認等を行い、動作に支障が無いようであれば配線作業が無事完了したものと想定し、パネル１０を閉じた状態（図１（ｂ）に実線で示す状態）とする。具体的には、パネル１０を開いた状態において、上下の分割パネル１１の背面に対して固定プレート５０をネジで接合し、固定プレート５０の接合が完了したらパネル１０を閉じ、続いて取付下地２０と固定プレート５０とを取付下地２０の左側方からネジ２３によってネジ留めすることにより接続する。
【００６７】
このようにして、本実施の形態に係る玄関装置取付構造１を施工することができ、そして配線３ｃの修理等を行う際には、取付下地２０と固定プレート５０とを接続するネジ２３を外すことによって、パネル１０を容易に開いて配設空間４を開放することができ、配線３ｃの修理等を容易に行うことが可能になる。
【００６８】
（実施の形態の効果）
このように本実施の形態によれば、対象壁面２ｆに対して配設空間４を介して設置されたパネル１０に対して集合玄関機３を取り付けるため、集合玄関機３の配線３ｃを配設空間４を介して任意の位置まで巡らせることができるため、配線用３ｃの孔を壁面や床面以外の位置に空けて集合玄関機３の配線作業を行うことが可能になり、壁面や床面に対して、配線３ｃを挿通させるための孔や玄関装置の取り付けスペースを形成したり、玄関装置の基礎を埋設や打設したりする必要がなくなるため、施工作業を従来よりも簡素化することが可能になる。
また、玄関部２の壁面に対して凹部を形成し、その凹部に集合玄関機３を埋め込むことによって集合玄関機３を壁面に対して直接固定することも考えられるが、このような手段によれば、集合玄関機３を埋め込むための凹部を壁面に設けるという大掛かりな工事が必要となってしまう。しかし、本実施の形態によれば、周囲の壁面と面一に配置された対象壁面２ｆに対してパネル１０を設置するので、集合玄関機３を埋め込むための凹部を壁面に設けるという大掛かりな工事が不要になり、集合玄関機３を取り付けるための施工性を向上させることが可能になるため、集合玄関機３を容易かつ安価に取り付けることが可能になる。
さらに、対象壁面２ｆとパネル１０との間に配設空間４を形成できるので、この配設空間４に配設した配線３ｃをパネル１０によって少なくとも前方側から容易に遮蔽することが可能になり、集合玄関機３及びその周辺部分の意匠性を向上させることが可能になる。
【００６９】
また、玄関部２の角部において、所定の壁面から当該所定の壁面と直交する壁面に架けてパネル１０を平面視上の斜め方向に沿って設置して、パネル１０と当該２つの壁面により囲繞された空間部を配設空間４として利用することも考えられるが、このような手段によれば、集合玄関機３の設置位置が玄関部２の角部に限定されてしまう。しかし、本実施の形態によれば、パネル１０を対象壁面２ｆに対して平行に配置するので、集合玄関機３の設置位置を玄関部２の角部等といった特定の位置に限定されなくなるため、集合玄関機３の設置位置の自由度を向上させることが可能になる。
【００７０】
また、対象壁面２ｆ、パネル１０、及び高さ方向に沿って連続する一対の取付下地２０、２１によって囲繞された空間部を配設空間４としたので、四方から覆われた配設空間４を極めて簡易に形成することができ、この配設空間４に配設した配線３ｃをパネル１０及び一対の取付下地２０、２１によって前方側及び側方側から容易に遮蔽することが可能になり、集合玄関機３及びその周辺部分の意匠性を一層向上させることが可能になる。
【００７１】
また、取付下地２０、２１をパネル１０の外縁部よりも内側に位置させることによって、パネル１０の前方又は側方の少なくとも一方から取付下地２０、２１の少なくとも一部を遮蔽するので、取付下地２０、２１に設けられたネジ２３の頭部や蝶番３０等といった意匠性の低い部分をユーザの視線から遮ることができ、集合玄関機３及びその周辺部分の意匠性を一層向上させることが可能になる。
【００７２】
また、パネル１０を開閉するための蝶番３０を備えるので、集合玄関機３の配線作業を行う際には、パネル１０を開くことにより配線作業を容易に行うことが可能になり、配線作業が終了した際には、パネル１０を閉じることにより配設空間４に配設した配線３ｃを容易に外部から遮蔽することが可能になり、配線作業の作業性と集合玄関機３及びその周辺部分の意匠性とを両立させることが可能になる。
【００７３】
また、配線３ｃを配設空間４を介して天井配線孔２ｈに挿通するので、床や壁面に配線孔を形成して配線を挿通させる場合に比べて容易に配線作業を行うことが可能になり、集合玄関機３を取り付けるための施工性を一層向上させることが可能になるため、集合玄関機３を一層容易かつ一層安価に取り付けることが可能になる。
【００７４】
また、天井側隙間５と床側隙間６との少なくとも一方を備えるので、パネル１０を天井面や床面に対して隙間なく当接させる場合に比べて、対象壁面２ｆに対してパネル１０を取り付けるための施工性を一層向上させることが可能になるため、集合玄関機３を一層容易かつ一層安価に取り付けることが可能になる。また、天井側隙間５と床側隙間６との少なくとも一方を備えるので、パネル１０を蝶番３０により開閉可能とした場合においても、パネル１０が天井や床と接触することを防止でき、パネル１０を円滑に開閉させることが可能になる。
【００７５】
また、床側隙間６の高さを、天井側隙間５の高さよりも大きくなるように形成するので、配設空間４に配設した配線が天井側隙間５を介して前方側に露出する可能性を低減することが可能になると共に、ユーザが集合玄関機３を操作するために当該集合玄関機３の前方に立った状態において、ユーザの足がパネル１０の下部に当たる可能性を低減することが可能になる。
【００７６】
〔本実施の形態に対する変形例〕
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００７７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、玄関装置の設置位置の自由度が従来と同程度である場合であっても、玄関装置の対象壁面に対する取り付けを従来とは異なる手段によって達成できている場合には、本願の課題が解決されている。
【００７８】
（寸法や材料について）
発明の詳細な説明や図面で説明した玄関装置取付構造１の各部の寸法、形状、比率等は、あくまで例示であり、その他の任意の寸法、形状、比率等とすることができる。
【００７９】
（固定構造について）
また、上記各部の固定構造は、公知の技術の範囲内において、ネジ留め、接着、溶着、あるいは溶接の相互間で変更可能である。
【００８０】
（パネルについて）
本実施の形態においては、パネル１０は対象壁面２ｆに対して平行に設置されているものとして説明したが、これに限られず、例えばパネル１０を対象壁面２ｆに対して斜めに設置しても良い。
【００８１】
（取付下地について）
本実施の形態においては、一対の取付下地２０、２１は、パネル１０の両側方に配置されているものとして説明したが、その他の位置に配置されるものであってもよく、例えば、パネル１０の上下に配置されているものであっても良い。また、本実施の形態においては、取付下地２１に対して蝶番土台２１ｈが接合されており、この蝶番土台２１ｈに対して蝶番３０が接合されているものとして説明したが、この蝶番土台２１ｈを設けずに、取付下地２１に対して直接蝶番３０を接合しても良い。
【００８２】
（開閉手段について）
上記実施の形態では、開閉手段は蝶番３０であるものとして説明したが、これに限定されない。例えば、パネル１０と取付下地２０及び取付下地２１とに磁石を設置し、磁石の磁力によってパネル１０を取付下地２０及び取付下地２１に対して剥離又は接着することによってパネル１０の開閉を行っても良い。あるいは、蝶番３０を設けずに、パネル１０の背面に対して取付下地２１をネジにてネジ留めし、このネジを取り外し又は取り付けすることによってパネル１０の開閉を行っても良い。
【００８３】
また、上記実施の形態では、蝶番３０及び取付下地２１をパネル１０の右側に配置し、固定プレート５０及び取付下地２０をパネル１０の左側に配置することにより、パネル１０が右開きとなるように構成したが、このような構成に限定されない。例えば、蝶番３０及び取付下地２１をパネル１０の左側に配置し、固定プレート５０及び取付下地２０をパネル１０の右側に配置することにより、パネル１０が左開きとなるように構成してもよい。特に、玄関部２における対象壁面２ｆの周辺の壁面の状況等に応じてこれらの構成を適宜変更してもよい。例えば、玄関部２において、対象壁面２ｆの左方の近傍位置に当該対象壁面２ｆと直交する壁面が存在する場合には、パネル１０が左開きとなるように形成することによって、当該直交する壁面によって蝶番３０をパネル１０の左方から遮蔽することができる。
【００８４】
（配設空間について）
配設空間４の下部には配設空間４を覆う部材は設けられていないが、この部分に配設空間４の下方を覆う部材を設けても良い。このような部材を設けることにより、ユーザは配設空間４の下方からも配設空間４を視認することが出来なくなるため、集合玄関機３の配線３ｃがユーザに視認されてしまう可能性を一層低減する事が可能になる。
【００８５】
（付記）
付記１に記載の玄関装置取付構造は、ユーザからの操作を受け付ける玄関装置を、住宅の玄関部に取り付けるための玄関装置取付構造であって、周囲の壁面と面一に配置された対象壁面に対して前記玄関装置の配線を配設するための配設空間を介して設置されたパネルを備え、前記玄関装置を前記パネルに対して取り付けた。
【００８６】
また、付記２に記載の玄関装置取付構造は、付記１に記載の玄関装置取付構造において、前記パネルは、前記対象壁面と平行に設置される。
【００８７】
また、付記３に記載の玄関装置取付構造は、付記１又は２に記載の玄関装置取付構造において、前記対象壁面に対して直交するように並設した一対の取付ベースであって、高さ方向に沿って連続する一対の取付ベースを備え、前記一対の取付ベースにおける前記対象壁面とは反対側の端部に、前記パネルを取り付け、これら対象壁面、パネル、及び一対の取付ベースによって囲繞された空間部を、前記配設空間とした。
【００８８】
また、付記４に記載の玄関装置取付構造は、付記３に記載の玄関装置取付構造において、前記取付ベースを前記パネルの外縁部よりも内側に位置させることによって、前記パネルの前方又は側方の少なくとも一方から、前記取付ベースの少なくとも一部を遮蔽した。
【００８９】
また、付記５に記載の玄関装置取付構造は、付記１から４のいずれか一項に記載の玄関装置取付構造において、前記パネルを開閉させることにより前記配設空間を開放又は閉鎖するための開閉手段を備える。
【００９０】
また、付記６に記載の玄関装置取付構造は、付記１から５のいずれか一項に記載の玄関装置取付構造において、前記玄関装置の配線を、前記配設空間を介して、前記配設空間の上方における前記玄関部の天井に設けられた天井配線孔に挿通した。
【００９１】
また、付記７に記載の玄関装置取付構造は、付記１から６のいずれか一項に記載の玄関装置取付構造において、前記パネルと前記玄関部の天井との相互間に形成された隙間である天井側隙間、又は前記パネルと前記玄関部の床との相互間に形成された隙間である床側隙間の少なくとも一方を備える。
【００９２】
また、付記８に記載の玄関装置取付構造は、付記７に記載の玄関装置取付構造において、前記床側隙間の高さを、前記天井側隙間の高さよりも大きくなるように形成した。
【００９３】
（付記の効果）
付記１に記載の玄関装置取付構造によれば、対象壁面に対して配設空間を介して設置されたパネルに対して玄関装置を取り付けるため、玄関装置の配線を配設空間を介して任意の位置まで巡らせることができるため、配線用の孔を壁面や床面以外の位置に空けて玄関装置の配線作業を行うことが可能になり、壁面や床面に対して、配線を挿通させるための孔や玄関装置の取り付けスペースを形成したり、玄関装置の基礎を埋設や打設したりする必要がなくなるため、施工作業を従来よりも簡素化することが可能になる。
また、玄関部の壁面に対して凹部を形成し、その凹部に玄関装置を埋め込むことによって玄関装置を壁面に対して直接固定することも考えられるが、このような手段によれば、玄関装置を埋め込むための凹部を壁面に設けるという大掛かりな工事が必要となってしまう。しかしながら、付記１に記載の玄関装置取付構造によれば、周囲の壁面と面一に配置された対象壁面に対してパネルを設置するので、玄関装置を埋め込むための凹部を壁面に設けるという大掛かりな工事が不要になり、玄関装置を取り付けるための施工性を向上させることが可能になるため、玄関装置を容易かつ安価に取り付けることが可能になる。
さらに、対象壁面とパネルとの間に配設空間を形成できるので、この配設空間に配設した配線をパネルによって少なくとも前方側から容易に遮蔽することが可能になり、玄関装置及びその周辺部分の意匠性を向上させることが可能になる。
【００９４】
また、玄関部の角部において、所定の壁面から当該所定の壁面と直交する壁面に架けてパネルを平面視上の斜め方向に沿って設置して、パネルと当該２つの壁面により囲繞された空間部を配設空間として利用することも考えられるが、このような手段によれば、玄関装置の設置位置が玄関部の角部に限定されてしまう。しかしながら、付記２に記載の玄関装置取付構造によれば、パネルを対象壁面に対して平行に配置することにより、玄関装置の設置位置が玄関部の角部等といった特定の位置に限定されなくなるため、玄関装置の設置位置の自由度を向上させることが可能になる。
【００９５】
また、付記３に記載の玄関装置取付構造によれば、対象壁面、パネル、及び高さ方向に沿って連続する一対の取付ベースによって囲繞された空間部を配設空間としたので、四方から覆われた配設空間を極めて簡易に形成することができ、この配設空間に配設した配線をパネル及び一対の取付ベースによって前方側及び側方側から容易に遮蔽することが可能になり、玄関装置及びその周辺部分の意匠性を一層向上させることが可能になる。
【００９６】
また、付記４に記載の玄関装置取付構造によれば、取付ベースをパネルの外縁部よりも内側に位置させることによって、パネルの前方又は側方の少なくとも一方から取付ベースの少なくとも一部を遮蔽するので、取付ベースに設けられたネジや蝶番等といった意匠性の低い部分をユーザの視線から遮ることができ、玄関装置及びその周辺部分の意匠性を一層向上させることが可能になる。
【００９７】
また、付記５に記載の玄関装置取付構造によれば、パネルを開閉するための開閉手段を備えるので、玄関装置の配線作業を行う際には、パネルを開くことにより配線作業を容易に行うことが可能になり、配線作業が終了した際には、パネルを閉じることにより配設空間に配設した配線を容易に外部から遮蔽することが可能になり、配線作業の作業性と玄関装置及びその周辺部分の意匠性とを両立させることが可能になる。
【００９８】
また、付記６に記載の玄関装置取付構造によれば、配線を配設空間を介して天井配線孔に挿通するので、床や壁面に配線孔を形成して配線を挿通させる場合に比べて容易に配線作業を行うことが可能になり、玄関装置を取り付けるための施工性を一層向上させることが可能になるため、玄関装置を一層容易かつ一層安価に取り付けることが可能になる。
【００９９】
また、付記７に記載の玄関装置取付構造によれば、天井側隙間と床側隙間との少なくとも一方を備えるので、パネルを天井面や床面に対して隙間なく当接させる場合に比べて、対象壁面に対してパネルを取り付けるための施工性を一層向上させることが可能になるため、玄関装置を一層容易かつ一層安価に取り付けることが可能になる。また、天井側隙間と床側隙間との少なくとも一方を備えるので、パネルを開閉手段により開閉可能とした場合においても、パネルが天井や床と接触することを防止でき、パネルを円滑に開閉させることが可能になる。
【０１００】
また、付記８に記載の玄関装置取付構造によれば、床側隙間の高さを、天井側隙間の高さよりも大きくなるように形成するので、配設空間に配設した配線が天井側隙間を介して前方側に露出する可能性を低減することが可能になると共に、ユーザが玄関装置を操作するために当該玄関装置の前方に立った状態において、ユーザの足がパネルの下部に当たる可能性を低減することが可能になる。
【符号の説明】
【０１０１】
１  玄関装置取付構造
２  玄関部
２ａ  設置壁面
２ｂ  壁柱
２ｃ  化粧ボード
２ｄ  目地
２ｅ  幅木
２ｆ  対象壁面
２ｇ  天井ボード
２ｈ  天井配線孔
３  集合玄関機
３ａ  操作部
３ｂ  本体部
３ｃ  配線
４  配設空間
５  天井側隙間
６  床側隙間
１０  パネル
１１  分割パネル
１１ａ  外枠部材
１１ｂ  化粧鋼板
１１ｃ  ハニカムコア
１１ｄ  開口部
１２  フラットバー
１２ａ、１３ａ、２２、２３、２４、２５、２６  ネジ
１３  パネル連結プレート
２０、２１  取付下地
２０ａ、２０ｂ、２０ｃ、２１ａ、２１ｂ、２１ｃ、２１ｄ、２１ｅ、２１ｆ、２１ｇ  部材
２１ｈ  蝶番土台
２７  仮固定空間
３０  蝶番
３０ａ、３０ｂ  蝶番面
４０  エッジキャップ
４０ａ  側面部
４０ｂ  底面部
５０  固定プレート
６０  連結プレート
【図１】
2015050519.tif 000003
【図２】
2015050519.tif 000004
【図３】
2015050519.tif 000005
【図４】
2015050519.tif 000006
【図５】
2015050519.tif 000007